(57)【要約】【課題】ラベル１の実際の使用現場その他どこにでも携帯可能とし、簡易的にその剥離特性を検査し、検査者によらずに客観的かつ簡易的な剥離特性の検査を可能としたラベル剥離特性の簡易検査治具を提供する。【解決手段】平板状に形成した治具本体１１の端部にラベル剥離部１２、１３を設けること、ラベル剥離部１２、１３に、検査しようとするラベル１を巻き掛けて転向、剥離させることに着目し、平板状の治具本体１１と、治具本体１１の端部に設けるとともに、ラベル１を掛けまわして剥離紙２を転向させることにより剥離紙２からラベル片３を剥離可能とするラベル剥離部１２、１３と、を有し、剥離紙２をラベル片３が剥離される剥離方向に引っ張り可能とする。【選択図】図１
2014238366.tif 000002
【特許請求の範囲】
【請求項１】
剥離紙と、この剥離紙に仮着する粘着剤層を有するラベル片と、を有するラベルにおける前記剥離紙からの前記ラベル片の剥離特性を検査するためのラベル剥離特性の簡易検査治具であって、
平板状の治具本体と、
この治具本体の一方の端部に設けるとともに、前記ラベルを掛けまわして前記剥離紙を転向させることにより前記剥離紙から前記ラベル片を剥離可能とするラベル剥離部と、
を有し、
前記剥離紙を前記ラベル片が剥離される剥離方向に引っ張り可能としていることを特徴とするラベル剥離特性の簡易検査治具。
【請求項２】
前記ラベル剥離部の上流側において、前記ラベルを前記治具本体に押し付け可能としている押付け部をさらに有することを特徴とする請求項１記載のラベル剥離特性の簡易検査治具。
【請求項３】
前記治具本体の前記一方の端部とは反対側の他方の端部に、前記ラベルを掛けまわして転向させることにより前記剥離紙から前記ラベル片を剥離可能とする第２のラベル剥離部を設けていることを特徴とする請求項１または２記載のラベル剥離特性の簡易検査治具。
【請求項４】
前記治具本体に対する前記ラベル片の前記剥離方向を左右いずれかに選択可能であることを特徴とする請求項１ないし３のいずれかに記載のラベル剥離特性の簡易検査治具。
【請求項５】
前記ラベル剥離部は、その断面形状が円形状の転向シャフトからこれを構成していることを特徴とする請求項１ないし４のいずれかに記載のラベル剥離特性の簡易検査治具。
【請求項６】
前記転向シャフトは、そのシャフト径を可変としていることを特徴とする請求項５記載のラベル剥離特性の簡易検査治具。
【請求項７】
前記治具本体の前記一方の端部に、回動可能な一対の切替え板を取り付け、
この一対の切替え板の間に複数個の互いに直径が異なる前記転向シャフトを互いに平行に取り付けているとともに、
前記切替え板を回動させることにより、それぞれの前記転向シャフトを前記ラベルに対して切り替え可能としていることを特徴とする請求項５記載のラベル剥離特性の簡易検査治具。
【請求項８】
前記ラベル剥離部は、その断面形状が任意の多角形状の転向シャフトからこれを構成していることを特徴とする請求項１記載のラベル剥離特性の簡易検査治具。
【請求項９】
前記ラベル剥離部は、前記治具本体に対してこれを脱着可能としていることを特徴とする請求項１ないし８のいずれかに記載のラベル剥離特性の簡易検査治具。
【請求項１０】
前記押付け部は、
前記治具本体に対して揺動可能な押付け片と、
この押付け片を前記ラベルの前記ラベル片に向かって付勢可能な付勢材と、を有することを特徴とする請求項２記載のラベル剥離特性の簡易検査治具。
【請求項１１】
前記ラベル剥離部において前記ラベル片を剥離した状態の前記剥離紙の引っ張り方向を調整可能な剥離角度調整部をさらに有することを特徴とする請求項１ないし１０のいずれかに記載のラベル剥離特性の簡易検査治具。
【請求項１２】
前記ラベル剥離部において前記ラベル片を剥離した状態の前記剥離紙を巻き取る巻取り部を有することを特徴とする請求項１ないし１１のいずれかに記載のラベル剥離特性の簡易検査治具。
【発明の詳細な説明】
【技術分野】
【０００１】
本発明はラベル剥離特性の簡易検査治具にかかるもので、とくにラベルの剥離紙（台紙）からの剥離特性を簡易に検査することができるラベル剥離特性の簡易検査治具に関するものである。
【背景技術】
【０００２】
従来から、各種商品その他の被貼付け体にシールやラベル（以下、ラベルと称す）を貼り付け、各種の管理情報やその他必要な情報を文字、図形あるいはバーコードなどにより表示することが行われている。
図７は、ラベル１（図示の例では、ラベル連続体の形態で示している）の平面図、図８は、図７のＶＩＩＩ−ＶＩＩＩ線断面図であって、ラベル１は、帯状の剥離紙２と、剥離紙２上に仮着した複数枚のラベル片３と、を有する。
ラベル片３は、ラベル基材４の裏面側に粘着剤層５を積層した構成を有する。
【０００３】
ラベル片３の表面にラベルプリンター（図示せず）により文字やバーコードなどを印字したのち、剥離紙２からラベル片３を剥離して被貼付け体に貼り付ける。
ラベル片３を剥離紙２から剥離する作業は、ラベル片３を指でつまんではがす場合と、ラベルプリンターや自動貼付け装置（図示せず）に設けた剥離手段を用いてはがす場合とがある。この剥離手段は、ラベル片３の腰の強さを利用し、ラベル１から剥離紙２を鋭角に折り返してラベル片３を剥離する構成である。
【０００４】
とくに上記自動貼付け装置を用いてラベル片３を貼り付ける場合、ラベル片３が円滑に、かつ意図したタイミングで剥離紙２から剥離されることが必要である。
ラベル片３が円滑に剥離されないと、規定の貼付け位置から外れたり、曲がったりするほか、極端な場合には、貼り付けることができないおそれもある。
そこで、剥離紙２からラベル片３を剥離する際の剥離特性が重要になり、ラベル１の製造過程において、剥離する際の抵抗力を測定し、剥離力として管理している。
剥離力の測定は、つぎのように行う。
幅５０ｍｍのラベル片３を固定した状態で剥離紙２の端部をラベル片３の粘着剤層５からはがし、ラベル片３に対して１８０度折り返した方向へ３００ｍｍ／分の速度で引きはがす。その際に要する力を剥離力とする。この測定は、温度２３±５℃、湿度６５±５％の環境下で行われる。
剥離力は、粘着剤層５における粘着剤と剥離紙２との組み合わせにより様々であるが、多くの場合、１０〜５０ｇｆ／５０ｍｍの範囲である。
【０００５】
このようにラベル１の剥離力は管理されているものであるが、剥離力は、周囲の温度や湿度に左右される。
ラベル１の保管や使用に際しての温度および湿度の範囲はあらかじめ規定されているが、ラベル片３を実際に自動貼りする環境は、温度および湿度がコントロールされた室内もあれば、配送センターのように扉が開放されて実質的に屋外のような場所もある。後者では、季節による温度変化を受けるほか、梅雨時期と冬場とでは、湿度も大きく異なる。したがって、ラベル片３が正常に剥離されないトラブルが生じても、ラベル１自体に問題があるのか、あるいは使用環境に問題があるのかが、わからないことがある。
【０００６】
そこで、ラベル１の使用現場では、簡易的な検査として、指先でラベル１を、たとえば直径６ｍｍ程度に丸めるように折り返し、その転向した状態において剥離紙２からラベル片３の先端が剥離するか否かを判断することにより、その剥離特性を確認している。使用現場の環境下でラベル１の剥離力ないし剥離特性を検査することは、その環境においてラベル１が使用可能か否かを判断する好適な方法である。
しかしながら、実際には、人為的に指先で直径６ｍｍにラベルを転向させることには検査者によってバラツキがあるという問題がある。
【先行技術文献】
【特許文献】
【０００７】
【特許文献１】特開２０１１−１８５７４０号公報
【発明の概要】
【発明が解決しようとする課題】
【０００８】
本発明は以上のような諸問題にかんがみなされたもので、ラベルの実際の使用現場などにおいて簡易的にその剥離特性を検査することができるラベル剥離特性の簡易検査治具を提供することを課題とする。
【０００９】
また本発明は、検査者によらずに客観的かつ簡易的な剥離特性の検査を可能としたラベル剥離特性の簡易検査治具を提供することを課題とする。
【００１０】
また本発明は、どこにでも携帯可能として、ラベルの使用現場はもちろん、任意の場所での剥離特性検査を実行可能としたラベル剥離特性の簡易検査治具を提供することを課題とする。
【課題を解決するための手段】
【００１１】
すなわち本発明は、平板状に形成した治具本体の端部にラベル剥離部を設けること、このラベル剥離部に、検査しようとするラベルを巻き掛けて転向、剥離させることに着目したもので、剥離紙と、この剥離紙に仮着する粘着剤層を有するラベル片と、を有するラベルにおける上記剥離紙からの上記ラベル片の剥離特性を検査するためのラベル剥離特性の簡易検査治具であって、平板状の治具本体と、この治具本体の一方の端部に設けるとともに、上記ラベルを掛けまわして上記剥離紙を転向させることにより上記剥離紙から上記ラベル片を剥離可能とするラベル剥離部と、を有し、上記剥離紙を上記ラベル片が剥離される剥離方向に引っ張り可能としていることを特徴とするラベル剥離特性の簡易検査治具である。
【００１２】
上記ラベル剥離部の上流側において、上記ラベルを上記治具本体に押し付け可能としている押付け部をさらに有することができる。
【００１３】
上記治具本体の上記一方の端部とは反対側の他方の端部に、上記ラベルを掛けまわして転向させることにより上記剥離紙から上記ラベル片を剥離可能とする第２のラベル剥離部を設けていることができる。
【００１４】
上記治具本体に対する上記ラベル片の上記剥離方向を左右いずれかに選択可能であることができる。
【００１５】
上記ラベル剥離部は、その断面形状が円形状の転向シャフトからこれを構成していることができる。
【００１６】
上記転向シャフトは、そのシャフト径を可変としていることができる。
【００１７】
上記治具本体の上記一方の端部に、回動可能な一対の切替え板を取り付け、この一対の切替え板の間に複数個の互いに直径が異なる上記転向シャフトを互いに平行に取り付けているとともに、上記切替え板を回動させることにより、それぞれの上記転向シャフトを上記ラベルに対して切り替え可能としていることができる。
【００１８】
上記ラベル剥離部は、その断面形状が任意の多角形状の転向シャフトからこれを構成していることができる。
【００１９】
上記ラベル剥離部は、上記治具本体に対してこれを脱着可能としていることができる。
【００２０】
上記押付け部は、上記治具本体に対して揺動可能な押付け片と、この押付け片を上記ラベルの上記ラベル片に向かって付勢可能な付勢材と、を有することができる。
【００２１】
上記ラベル剥離部において上記ラベル片を剥離した状態の上記剥離紙の引っ張り方向を調整可能な剥離角度調整部をさらに有することができる。
【００２２】
上記ラベル剥離部において上記ラベル片を剥離した状態の上記剥離紙を巻き取る巻取り部を有することができる。
【発明の効果】
【００２３】
本発明によるラベル剥離特性の簡易検査治具によれば、平板状に形成した治具本体の端部にラベル剥離部を設け、このラベル剥離部に、検査しようとするラベルを巻き掛けて転向、剥離させるようにし、ラベル剥離部の直径あるいは形状を常に一定に保持した状態でラベルの剥離特性を検査することができるので、人為的なバラツキを排除するとともに、ラベルの使用現場に携帯して、ラベルを実際に剥離する環境における温度および湿度の条件下で簡易的な検査を実行することができる。
【図面の簡単な説明】
【００２４】
【図１】本発明の基本的な第１の実施例によるラベル剥離特性の簡易検査治具１０の概略側面図である。
【図２】同、図１と同様のラベル剥離特性の簡易検査治具１０の概略側面図であるが、ラベル１の剥離方向（装填方向）を図１とは逆にした状態を示す。
【図３】本発明の、より具体的な第２の実施例によるラベル剥離特性の簡易検査治具２０の要部断面平面図である。
【図４】同、要部断面正面図である。
【図５】同、一部省略左側面図である。
【図６】本発明の第３の実施例によるラベル剥離特性の簡易検査治具４０の要部正面図である。
【図７】従来からのラベル１（ラベル連続体）の平面図である。
【図８】図７のＶＩＩＩ−ＶＩＩＩ線断面図である。
【発明を実施するための形態】
【００２５】
本発明は、平板状に形成した治具本体の端部に設けたラベル剥離部に、検査しようとするラベルを巻き掛けて転向、剥離させるようにしたので、使用環境に応じて、かつ人為的な要素を排除した状態で、任意の場所において簡易的にラベルの剥離特性を検査することができるラベル剥離特性の簡易検査治具を実現した。
【実施例】
【００２６】
つぎに本発明の基本的な第１の実施例によるラベル剥離特性の簡易検査治具１０を図１および図２にもとづき説明する。
図１は、ラベル剥離特性の簡易検査治具１０の概略側面図である。
ラベル剥離特性の簡易検査治具１０は、前記ラベル１（ラベル連続体、図７、図８）の剥離特性を検査する携帯式の治具であって、平板状の治具本体１１と、左右一対のラベル剥離部（第１のラベル剥離部１２、第２のラベル剥離部１３）と、押付け部１４と、剥離角度調整部１５と、を有する。
【００２７】
ラベル１は、既述のように、帯状の剥離紙２と、ラベル片３と、を有し、ラベル片３の裏面側には剥離紙２に仮着する粘着剤層５を有する。
【００２８】
平板状の治具本体１１は、携帯可能なように任意の長方形状に形成したもので、その左右の一端部および他端部にそれぞれ第１のラベル剥離部１２および第２のラベル剥離部１３を設けているとともに、その表面側に押付け部１４を配置し、その裏面側に剥離角度調整部１５を配置している。
【００２９】
第１のラベル剥離部１２および第２のラベル剥離部１３は、それぞれの断面形状が円形状であって、所定の直径を有する第１の転向シャフト１６および第２転向シャフト１２からこれを構成し、これらの第１の転向シャフト１６および第２転向シャフト１２のいずれかにラベル１を掛けまわして転向させることにより剥離紙２からラベル片３を剥離可能とする。
第１の転向シャフト１６および第２の転向シャフト１７の直径としては、検査するラベル１に応じて、たとえば第１の転向シャフト１６の直径が３ｍｍ、第２の転向シャフト１７の直径が６ｍｍなどとすることができる。
【００３０】
図２は、図１と同様のラベル剥離特性の簡易検査治具１０の概略側面図であるが、ラベル１の剥離方向（装填方向）を図１とは逆にした状態を示す。
すなわち、図１に示す剥離方向は、第２の転向シャフト１７の部分でラベル１を転向剥離させる使用形態における方向（図１中、右方向）であり、図２に示す剥離方向は、第１の転向シャフト１６の部分でラベル１を転向剥離させる使用形態における方向（図１中、左方向）である。
【００３１】
なお、治具本体１１に対して第１の転向シャフト１６および第２の転向シャフト１７を脱着可能として任意の直径ないし断面形状のシャフトと交換可能とすることにより、そのシャフト径ないし形状を可変にすることができる。
たとえばラベル剥離部１２、１３は、その断面形状が任意の多角形状（たとえば、三角形状や四角形状など）の転向シャフト（図示せず）からこれを構成することもできる。
【００３２】
押付け部１４は、第１のラベル剥離部１２および第２のラベル剥離部１３の上流側において治具本体１１の幅方向に横断する押付けピン１８からこれを構成し、この押付けピン１８と治具本体１１との間にラベル１を挿通可能としているとともに、ラベル剥離部（第１の転向シャフト１６、第２の転向シャフト１７）の上流側において、ラベル１を治具本体１１の方向に押し付け可能としている。
【００３３】
剥離角度調整部１５は、第１のラベル剥離部１２および第２のラベル剥離部１３の下流側において治具本体１１の幅方向に横断する角度調整ピン１９からこれを構成し、剥離紙２をこの角度調整ピン１９に摺動させつつ引っ張り可能としている。
図２中、仮想線で示すように、平板状の治具本体１１に対する角度調整ピン１９の位置（間隔）を調整セットすることにより、ラベル剥離部（第１の転向シャフト１６、第２の転向シャフト１７）においてラベル片３を剥離した状態の剥離紙２の引っ張り方向（剥離角度）を調整可能であり、ラベル１の各種使用態様に応じて、ラベル剥離部におけるその剥離角度の影響による剥離特性を確認することができる。
【００３４】
こうした構成のラベル剥離特性の簡易検査治具１０において、自動貼付け装置（図示せず）の設置場所等、ラベル１の使用現場において、たとえば図１に示すように、押付けピン１８の上流側からラベル１を平板状の治具本体１１と押付けピン１８との間に挿通し、さらに第２のラベル剥離部１３の第２の転向シャフト１７に掛けまわして転向させ、剥離紙２のみを剥離角度調整部１５の角度調整ピン１９に掛けまわして矢印のように手動で引っ張り可能とする。
したがって、直径が一定であるとともにその断面形状が円形と、寸法および形状が固定的な第２のラベル剥離部１３における第２の転向シャフト１７においてラベル１を転向可能となるので、検査者によるバラツキを回避して、簡易的な検査を行うことができる。
【００３５】
また、既述のように、図２に示すようにラベル１を装填すれば、治具本体１１の一方の端部の第２の転向シャフト１７とは反対側の、他方の端部における第１の転向シャフト１６に、ラベル１を掛けまわして転向させることにより、直径が異なる第１のラベル剥離部１２における第１の転向シャフト１６においてラベル１を転向させることにより、ラベル１の種類あるいは異なる条件下での剥離特性を検査することができる。
【００３６】
かくして、図１および図２に示すように、治具本体１１に対するラベル片３の剥離方向を左右いずれかに選択可能であって、第１の転向シャフト１６および第２の転向シャフト１７という二種類の直径を使い分けてラベル１の剥離特性を検査することができる。
たとえば、直径が大径でもラベル片３が円滑にはがれれば、ラベル１としての剥離力は小さいことになる。
【００３７】
つぎに図３は、本発明のより具体的な第２の実施例によるラベル剥離特性の簡易検査治具２０の要部断面平面図、図４は、同、要部断面正面図、図５は、同、一部省略左側面図であって、ラベル剥離特性の簡易検査具２０は、既述のラベル剥離特性の簡易検査治具１０（図１）における治具本体１１と同様の平板状の治具本体２１と、図３中左側に位置するラベル剥離部２２と、治具本体２１の表面側に位置する押付け部２３と、図３中右側に位置する巻取り部２４と、を有する。
【００３８】
平板状の治具本体２１は、前記平板状の治具本体１１（図１）と同様に、携帯可能な任意の長方形状にこれを形成したもので、図３中その左端部にラベル剥離部２２を設けているとともに、その表面側に押付け部２３を配置し、ラベル剥離部２２とは反対側の部分（図３中右端部）に巻取り部２４を配置している。
なお、治具本体２１にはその左右に起立する一対のフランジ部２５を設けて、ラベル剥離部２２、押付け部２３および巻取り部２４を取り付け可能としている。
【００３９】
ラベル剥離部２２は、前記第１のラベル剥離部１２あるいは第２のラベル剥離部１３（図１）と同様に、所定直径を有する転向シャフト２６からこれを構成し、ラベル１の転向剥離を可能としているとともに、これを交換可能としてその直径を変更することができる。
【００４０】
押付け部２３は、揺動軸２７と、揺動軸２７のまわりに治具本体１１に対して揺動可能な押付け片２８と、押付け片２８をラベル１のラベル片３に向かって付勢可能な左右一対の付勢材２９と、を有する。
【００４１】
押付け片２８は、左右一対のフランジ部２５の外部にそれぞれ延びる左右一対のスプリング取付け片３０を有し、スプリング取付け片３０の外部に固定した第１のスプリング取付けピン３１と、フランジ部２５に固定した第２のスプリング取付けピン３２との間に付勢材２９（たとえばコイルスプリング）を取り付けて、図４中、反時計方向にスプリング取付け片３０を付勢することにより、押付け片２８の断面鈎の手状を呈したラベル押付け稜２８Ａがラベル１を治具本体２１方向に押し付け可能としている。
【００４２】
なお、治具本体２１の底面には、剥離紙ガイドピン３３を設けて、ラベル剥離部２２の転向シャフト２６において転向した剥離紙２を安定して巻取り部２４方向に移送可能としている。
【００４３】
巻取り部２４は、ラベル剥離部２２においてラベル片３を剥離した状態の剥離紙２を巻き取り可能であって、剥離紙２を巻き取り可能な巻取りシャフト３４と、巻取りシャフト３４を回転可能な第１のギア３５と、第１のギア３５に係合する第２のギア３６（スパイラルギア）と、第２のギア３６を回転可能な回転コマ３７と、回転コマ３７を手動で操作可能なハンドル３８と、を有する。
なお、図４中、仮想線で示すように、ハンドル３８あるいは回転コマ３７の代わりに、第２のギア３６に駆動モーター３９を連結し、剥離紙２を巻き取り可能とすることもできる。
【００４４】
こうした構成のラベル剥離特性の簡易検査具２０においては、押付け部２３の上流側からラベル１をその押付け片２８の下面側に通した状態で、ラベル剥離部２２の転向シャフト２６に巻き掛けるようにして転向させ、治具本体２１と剥離紙ガイドピン３３との間に剥離紙２を通し、剥離紙２を巻取り部２４の巻取りシャフト３４に巻き付ける。
【００４５】
巻取り部２４のハンドル３８をつまんで回転させることにより、回転コマ３７、第２のギア３６および第１のギア３５を介して巻取りシャフト３４を回転駆動することができるため、剥離紙２を下流側に引っ張ることができ、転向シャフト２６において剥離紙２が転向してラベル片３を剥離可能であり、その剥離特性を確認することができる。
【００４６】
かくして、従来のようにラベル１の剥離紙２を手動で引っ張るより安定した操作で、巻取り部２４による巻取り力によって剥離紙２を引くことができ、ラベル剥離部２２における剥離特性を検査することができる。
なお、駆動モーター３９により剥離紙２を巻き取ることとすれば、さらに一定な巻取り力による安定した引っ張り力を剥離紙２に作用させることができ、より客観的ないし正確な剥離特性を検査可能である。
【００４７】
つぎに図６は、本発明の第３の実施例によるラベル剥離特性の簡易検査治具４０の要部正面図であって、ラベル剥離特性の簡易検査具４０においては、平板状の治具本体４１の一方の端部に設けた切替え軸４２のまわりに回動可能な左右一対の切替え板４３を取り付けている。
この一対の切替え板４３の間に複数個のそれぞれ互いに直径が異なる転向シャフト（たとえば、第１の転向シャフト４４、第２の転向シャフト４５および第３の転向シャフト４６）を互いに平行に取り付け、切替え板４３を切替え軸４２のまわりに回動セットすることにより、それぞれの転向シャフト４４、４５、４６をラベル１に対して切り替え可能としている。
【００４８】
この他の構成については、ラベル剥離特性の簡易検査治具１０（図１）あるいはラベル剥離特性の簡易検査具２０（図３）におけると同様にこれを配置可能であり、その詳述はこれを省略する。
【００４９】
こうした構成のラベル剥離特性の簡易検査具４０において、切替え軸４２のまわりに切替え板４３を回動させることによって、第１の転向シャフト４４、第２の転向シャフト４５あるいは第３の転向シャフト４６のうち、必要な径を有するものを適宜選択し、選択した第１の転向シャフト４４、第２の転向シャフト４５あるいは第３の転向シャフト４６のいずれかに剥離紙２を掛けまわして、ラベル剥離特性の簡易検査治具１０（図１）あるいはラベル剥離特性の簡易検査具２０（図３）と同様に、ラベル１の使用現場などに携帯してラベル１の剥離特性を簡易に検査することができる。
【符号の説明】
【００５０】
１  ラベル（ラベル連続体、図７）
２  帯状の剥離紙
３  ラベル片
４  ラベル基材
５  粘着剤層
１０  ラベル剥離特性の簡易検査治具（第１の実施例、図１）
１１  平板状の治具本体
１２  第１のラベル剥離部
１３  第２のラベル剥離部
１４  押付け部
１５  剥離角度調整部
１６  第１の転向シャフト（ラベル剥離部）
１７  第２の転向シャフト（ラベル剥離部）
１８  押付けピン（押付け部）
１９  角度調整ピン（剥離角度調整部）
２０  ラベル剥離特性の簡易検査具（第２の実施例、図３）
２１  平板状の治具本体
２２  ラベル剥離部
２３  押付け部
２４  巻取り部
２５  フランジ部
２６  転向シャフト（ラベル剥離部）
２７  揺動軸
２８  押付け片（押付け部）
２８Ａ  押付け片２８のラベル押付け稜
２９  付勢材（コイルスプリング）
３０  スプリング取付け片
３１  第１のスプリング取付けピン
３２  第２のスプリング取付けピン
３３  剥離紙ガイドピン
３４  巻取りシャフト（巻取り部）
３５  第１のギア
３６  第２のギア（スパイラルギア）
３７  回転コマ
３８  ハンドル
３９  駆動モーター
４０  ラベル剥離特性の簡易検査具（第３の実施例、図６）
４１  平板状の治具本体
４２  切替え軸
４３  切替え板
４４  第１の転向シャフト（ラベル剥離部）
４５  第２の転向シャフト（ラベル剥離部）
４６  第３の転向シャフト（ラベル剥離部）
【図１】
2014238366.tif 000003
【図２】
2014238366.tif 000004
【図３】
2014238366.tif 000005
【図４】
2014238366.tif 000006
【図５】
2014238366.tif 000007
【図６】
2014238366.tif 000008
【図７】
2014238366.tif 000009
【図８】
2014238366.tif 000010